(57)【要約】【課題】伸縮脚の収縮時における主脚の下端と伸縮脚の基端部との間での指詰め防止を図り、脚体の伸縮作業を安全に行なえるようにした脚体を提供すること。【解決手段】主脚２と、主脚２内に伸縮可能に嵌挿される伸縮脚３と、伸縮脚３を主脚２に対し所要長さ伸縮させた位置でロックするロック手段とを備えた脚体において、主脚２の下端と伸縮脚３の基端部との間で作業者の指を詰めるのを防止するために、伸縮脚３が主脚２に対し最大限収縮した時に伸縮脚３上端部に設けた当接部Ｔが主脚２内部に設けたストッパー部Ｓに当接することによって主脚２の下端と伸縮脚３の基端部との間に前記指詰め防止に必要な間隔ηを設けるように構成する。【選択図】図５
0003175910.tif 000002
【実用新案登録請求の範囲】
【請求項１】
主脚と、主脚内に伸縮可能に嵌挿される伸縮脚と、伸縮脚を主脚に対し所要長さ伸縮させた位置でロックするロック手段とを備えた脚体において、主脚の下端と伸縮脚の基端部との間で作業者の指を詰めるのを防止するために伸縮脚が主脚に対し最大限収縮した時に伸縮脚の上端部に設けた当接部が主脚内部に設けたストッパー部に当接することによって主脚の下端と伸縮脚の基端部との間に前記指詰め防止に必要な間隔を設けるように構成してなる脚体。
【請求項２】
筒状材からなる伸縮脚の上端部に伸縮脚キャップを取り付けて、このキャップの上端側を前記当接部とし、筒状材からなる主脚の内部所要位置に嵌合固定した嵌合部の下端側を前記ストッパー部としてなる請求項１に記載の脚体。
【考案の詳細な説明】
【技術分野】
【０００１】
本考案は、作業台や脚立等に使用される伸縮可能な脚体に関するものである。
【背景技術】
【０００２】
この種の従来の脚体として特許公報等の具体的な公知文献を挙げることはできないが、従来一般に使用されている脚体は、主脚と、該主脚内に伸縮可能に嵌挿される伸縮脚と、伸縮脚を主脚に対し所要長さ伸縮させた位置でロックするロック手段とからなるもので、伸縮脚は、ロック手段をロック解除した状態で主脚に対し伸縮スライド自在で、この伸縮脚を所要長さ伸縮させた位置でロックして使用するようになっている。
【考案の概要】
【考案が解決しようとする課題】
【０００３】
従来の脚体は、伸縮脚を最大収縮位置まで収縮させた状態で主脚の下端が伸縮脚の基端部に当接するような構造となっているため、例えば脚体使用後に伸縮脚を主脚内に収納するような時に作業者が主脚の下端部に手を添えた状態でロック手段をロック解除すると、主脚がその自重で伸縮脚沿いにスライド落下して、主脚の下端と伸縮脚の基端部との間で作業者の手指を挟むことがあり、非常に危険性であった。
【０００４】
本考案は、上記の事情に鑑み、伸縮脚の収縮時における主脚の下端と伸縮脚の基端部との間での指詰めを防止し、脚体の伸縮作業を安全に行なえる脚体を提供することを目的としている。
【課題を解決するための手段】
【０００５】
上記課題を解決するための手段を、後述する実施形態の参照符号を付して説明すると、請求項１に係る考案は、主脚２と、主脚２内に伸縮可能に嵌挿される伸縮脚３と、伸縮脚３を主脚２に対し所要長さ伸縮させた位置でロックするロック手段とを備えた脚体において、主脚２の下端と伸縮脚３の基端部との間で作業者の指を詰めるのを防止するために伸縮脚３が主脚２に対し最大限収縮した時に伸縮脚３上端部に設けた当接部Ｔが主脚２内部に設けたストッパー部Ｓに当接することによって主脚２の下端と伸縮脚３の基端部との間に前記指詰め防止に必要な間隔ηを設けるように構成してなることを特徴とする。
【０００６】
請求項２は、請求項１に記載の脚体において、筒状材からなる伸縮脚３の上端部に伸縮脚キャップ１１を取り付けて、このキャップ１１の上端側を前記当接部Ｔとし、筒状材からなる主脚２の内部所要位置に嵌合固定した嵌合部１９の下端側を前記ストッパー部Ｓとしてなることを特徴とする
【考案の効果】
【０００７】
上記解決手段による考案の効果を、後述する実施形態の参照符号を付して説明すると、請求項１に係る考案によれば、主脚２の下端と伸縮脚３の基端部との間で作業者の指を詰めるのを防止するために、伸縮脚３が主脚２に対し最大限収縮した時に伸縮脚３上端部の当接部Ｔが主脚２内部のストッパー部Ｓに当接することで主脚２の下端と伸縮脚３の基端部との間に指詰め防止に必要な間隔ηを設ける構成としたから、作業者が主脚２の下端部に手を添えたような状態でロック手段をロック解除した時、主脚側が自重で伸縮脚に沿ってスライド落下して、伸縮脚３が主脚２に対し最大限収縮した状態になっても、伸縮脚３側の当接部Ｔが主脚２側のストッパー部Ｓに当接することにより、主脚２の下端と伸縮脚３の基端部との間に指詰め防止用の間隔ηが形成されて、作業者の手指が挟まれるのを防止することができる。
【０００８】
請求項２に係る考案によれば、主脚２及び伸縮脚３が夫々アルミ押出形材のような筒状材からなるものであっても、伸縮脚３上端部の当接部Ｔを主脚２内部のストッパー部Ｓに確実に当接できると共に、当接部Ｔがストッパー部Ｓに頻繁に当接しても、当接部Ｔやストッパー部Ｓが破損し難く、長期に亘って安全に使用可能となる。
【図面の簡単な説明】
【０００９】
【図１】本考案の実施形態を示すもので、(a) は作業台の正面図、(b) は側面図である。
【図２】(a) は主脚体を示す拡大正面図、(b) は主脚の上端部分の側面図である。
【図３】(a) は伸縮脚体を示す拡大正面図、(b) は(a) のＡ−Ａ線断面図である。
【図４】図３の(a) の矢印Ｂで示す部分の拡大図、(b) は平面図、(c) は側面図で、(d) は伸縮脚の上端部に伸縮脚キャップを取り付けている状態を示す斜視図である。
【図５】伸縮脚が主脚に対し最大限収縮した状態の一部断面拡大正面図である。
【図６】同じく伸縮脚が主脚に対し最大限収縮した状態の拡大側面図である。
【考案を実施するための形態】
【００１０】
以下に本考案の好適な一実施形態を図面に基づいて説明すると、図１には本考案に係る脚体を備えた作業台を示し、この作業台は、作業者が載って作業を行なう天板１と、天板１の下面側四隅部に配設された四本の主脚２・・・のうち天板１の各妻側端部で左右に対向する両主脚２，２を中間部及び下部側のツナギ材４，５でつなぐことによって形成される前後一対の主脚体６，６と、各主脚体６の両主脚２，２内に夫々伸縮可能に嵌挿される両伸縮脚３，３の下端部どうしをツナギ材７でつなぐことにより形成される前後一対の伸縮脚体８，８とから構成される。各伸縮脚体８の伸縮脚３下端部にはキャスター２０が取り付けてある。図１の(a) ，(b) には、伸縮脚体８の伸縮脚３が主脚体６の主脚２に対し最大限収縮した状態を実線で示し、伸縮脚３が伸張した状態を仮想線で示している。
【００１１】
図１，図２に示すように、各主脚体６を形成する左右両主脚２，２の夫々上端部には、天板１下面の各妻側両端部に固定されるブラケット２１，２１が取り付けてあって、両ブラケット２１，２１に脚体回転軸材２２が回転自在に軸架され、従って各主脚体６は、脚体回転軸材２２を中心として、図１の(a) に示すような開脚位置と、図示は省略するが、天板１の下面に添うように折り畳まれる閉脚位置との間で回転可能となっている。天板１と中間部側ツナギ材４ａとの間には、屈曲自在なステイ２３が介装されている。
【００１２】
伸縮脚体８の左右両伸縮脚３，３には、図３の(a) ，(b) に示すように、左右対向する位置に係止部９，９、１０，１０が設けられ、主脚体６には、図２に示すように下部側ツナギ材４ｂの下面側沿いにその中央側から両端部側へ長く延びて、中央側で対向する夫々一端部にロック解除操作用の把持部１２，１２を形成した一対のロックシャフト１３，１３が、水平方向スライド自在に取り付けられていて、常時はバネ１４，１４の付勢力で両ロックシャフト１３，１３の夫々他端部を両伸縮脚３，３の係止部９，１０に係止させることによって伸縮脚３，３を夫々所要伸縮位置にロックし、そしてロック解除時には図２の(a) に示される両ロックシャフト１３，１３の把持部１２，１２を掴んでバネ１４，１４に抗し互いに引き寄せてシャフト１３，１３外端部を両伸縮脚３，３の係止部９，９、１０，１０から引き離すことによってロック解除するようになっている。尚、伸縮脚３の係止部９，１０、ロックシャフト１３及びバネ１４は、伸縮脚３を主脚２に対し所要長さ伸縮させた位置でロックするロック手段を構成する。
【００１３】
主脚体６の左右各主脚２は、図示は省略するが、角筒状のアルミ押出形材からなるもので、この角筒状材からなる主脚２内に伸縮脚体８の左右各伸縮脚３がスライド自在に嵌挿される。各伸縮脚３は、図４の(d) に示すように一側面の全長に亘って凹溝１５が条設された角筒状のアルミ押出形材からなるもので、その凹溝１５の底面に、図３の(a) ，(b) に概略示すような係止部９，１０が配設される。また、図３の(a) ，(b) に示すように、各伸縮脚体８を形成する左右両伸縮脚４，４の夫々基端部には、ツナギ材７の端部を連結するための角筒状ジョイント金具１６が、伸縮脚３の基端部に外嵌させた状態でリベットによって固定されている。
【００１４】
しかして、主脚２の下端と伸縮脚３の基端部（ジョイント金具１６）との間で作業者の指を詰めるのを防止するために、図１の(a) ，(b) に示すように伸縮脚３が主脚２に対し最大限収縮した時に伸縮脚３の上端部に設けた当接部Ｔが主脚２の内部に設けたストッパー部Ｓに当接することによって、主脚２の下端と伸縮脚３の基端部との間に指詰め防止に必要な間隔ηが設けられるようになっている。この指詰め防止に必要な間隔ηは、２０〜３０ｍｍ程度とされる。
【００１５】
上記のように伸縮脚３が主脚２に対し最大限収縮した時に主脚２内のストッパー部Ｓに当接する当接部Ｔとしては、その一例を図４に示すように、角筒状のアルミ押出形材からなる伸縮脚３の上端部に取り付けた伸縮脚キャップ１１の上端面１１ｏとされる。また、主脚２の内部に設けられるストッパー部Ｓとしては、図５及び図６に示すように、脚体回転軸材２２を軸支するブラケット２１内にて当該脚体回転軸材２２の端部と主脚２の上端部とを一体的に連結するアルミ押出形材からなる連結部材１８の下端部分１９であって、角筒状主脚２の上端部内に嵌合固定した嵌合部１９の下面１９ｏとされる。
【００１６】
上記伸縮脚キャップ１１の取付構造を、図４の(a) 〜(d) を参照しながら説明すれば、この伸縮脚キャップ１１は、伸縮脚３の断面形状と相似形に形成された金属製のもので、図４の(a) 〜(c) から分かるように、キャップ上半部１１ａは、その全周に亘る外径が、角筒状伸縮脚３の全周に亘る外径より僅かに小さく且つ角筒状伸縮脚３の全周に亘る内径より僅かに大きく、キャップ下半部１１ｂはその全周に亘る外径が角筒状伸縮脚３の全周に亘る内径よりも僅かに小さく形成されている。従って、このキャップ１１の取付にあたっては、図４の(d) に示すようにキャップ下半部１１ｂを伸縮脚３の上端部内に嵌合すると共に、キャップ上半部１１ａとキャップ下半部１１ｂとの境界段部１１ｃを図４の(a) ，(c) に示すように伸縮脚３の上端面３ｏに係合させた状態で、伸縮脚３の凹溝１５からキャップ下半部１１ｂに対しリベット２４を打ち込むことにより、キャップ１１を伸縮脚３に対し固定する。この伸縮脚キャップ１１は、下端側が開口した中空状のキャップで、上端面１１ｏ側に空気流通孔２５を設けている。
【００１７】
また、主脚２側のストッパー部Ｓについては、主脚体６の主脚２を脚体回転軸材２２に一体的に連結するアルミ押出形材からなる連結部材１８を利用したものである。この連結部材１８は、図５及び図６に示すように、当該アルミ押出形材をその押し出し方向に所定長さカットした部材からなるもので、このカット部材の角形状下端部分１９を、角筒状アルミ押出形材からなる主脚２の上端部内に嵌合してリベット２６で固定することにより、主脚２に取り付けている。図５及び図６において、２８は脚体回転軸材２２の端面にビス２９で取り付けられた回転軸蓋材である。
【００１８】
以上説明したような作業台において、図１の(a) ，(b) には、伸縮脚体８の伸縮脚３が主脚体６の主脚２に対し最大限収縮した状態を実線で図示しているが、使用にあたって、同図の実線図示状態から、両ロックシャフト１３，１３の把持部１２，１２を互いに引き寄せてロック解除した状態で伸縮脚体８を適宜に伸張させた後、把持部１２，１２から手を放せば、伸縮脚体８が所要脚長にロックされるから、その脚長で作業台を使用することができる。
【００１９】
そして、作業台の使用後などに、伸縮脚体８の伸縮脚３を元の脚長に戻すために、一方の手で把持部１２，１２を互いに引き寄せてロック解除しながら、伸縮脚３を収縮させようとして、他方の手を、主脚２の下端部に添えておくような時に、主脚２側がその自重で伸縮脚体８の伸縮脚３沿いにスライド降下して、伸縮脚３が主脚２に対し最大限収縮した状態となっても、図１、図５及び図６に示すように、伸縮脚３上端部の当接部Ｔが主脚２内部に設けたストッパー部Ｓに当接することによって、主脚２の下端２ａと、伸縮脚３の基端部であるジョイント金具１６の上端１６ａとの間には、指詰め防止に必要な間隔ηが形成されるため、作業者の手指が挟まれるのを防止できる。この間隔ηは２０〜３０ｍｍ程度と十分に広いから、指詰めを有効に防止することができる。
【００２０】
また、図５及び図６に示すように、角筒状のアルミ押出形材からなる伸縮脚３の上端部に伸縮脚キャップ１１を取り付けて、このキャップ１１の上端面１１ｏを当接部Ｔとし、主脚２の内部に設けられるストッパー部Ｓとしては、脚体回転軸材２２を軸支するブラケット２１内において脚体回転軸材２２の端部と主脚２の上端部とを連結するアルミ押出形材からなる連結部材１８の下端部分１９であって、主脚２の上端部内に嵌合固定した嵌合部１９の下面１９ｏとしているから、主脚２及び伸縮脚３が夫々筒状材からなるものであっても、伸縮脚３上端部の当接部Ｔを主脚２内部のストッパー部Ｓに確実に当接できると共に、当接部Ｔがストッパー部Ｓに頻繁に当接しても、当接部Ｔやストッパー部Ｓが破損し難く、長期に亘って使用可能である。
【００２１】
この実施形態においては、伸縮脚キャップ１１を伸縮脚３の断面形と相似形に形成すると共に、キャップ上半部１１ａは、その全周に亘る外径が、角筒状伸縮脚３の全周に亘る外径より僅かに小さく且つ角筒状伸縮脚３の全周に亘る内径より僅かに大きく、キャップ下半部１１ｂはその全周に亘る外径が角筒状伸縮脚３の全周に亘る内径よりも僅かに小さくなるように形成して、キャップ上半部１１ａを伸縮脚３の上端から突出させた状態で、キャップ下半部１１ｂを伸縮脚３の上端部内に嵌合固定した構造となっているから、伸縮脚３が主脚２内をスライドする時に、キャップ１１の外周面が主脚２の内周面に当たって引っ掛かるようなことがなく、従って伸縮脚３のスライド操作に支障を来すことがなく、そのスライド操作をスムーズに行なわせることができ、しかも伸縮脚３の上端部に対する伸縮脚キャップ１１の取付けが簡単容易となる。
【００２２】
また、この実施形態では、ストッパー部Ｓは、主脚体６の主脚２を脚体回転軸材２２に一体的に連結するアルミ押出形材からなる連結部材１８を利用し、この連結部材１８の角形状下端部分１９を、角筒状アルミ押出形材からなる主脚２の上端部内に嵌合固定するようにしているから、特別な部材を新たに設ける必要がなく、製作が容易で、コストの低廉化を図ることができる。尚、ストッパー部Ｓは、この実施形態のように主脚２内の上端部に限らず、主脚２内の上下中間所要部に設けることもできる。
【００２３】
また、上述の実施形態は、作業台の脚体について説明したが、本考案に係る脚体は、作業台の他に、脚立や梯子の主脚及び伸縮脚にも適用可能である。また、上述の実施形態では、作業台における伸縮脚３のロック手段を、伸縮脚３の係止部９，１０、ロックシャフト１３及びバネ１４によって構成したが、本考案に係るロック手段は、伸縮脚を主脚に対し所要長さ伸縮させた位置でロックするものであれば、どのような構成でもよい。
【符号の説明】
【００２４】
１            作業台の天板
２            主脚
３            伸縮脚
６            主脚体
８            伸縮脚体
Ｔ            伸縮脚側の当接部
Ｓ            主脚側のストッパー部
１１          伸縮脚キャップ
１９          嵌合部
【図１】
0003175910.tif 000003
【図２】
0003175910.tif 000004
【図３】
0003175910.tif 000005
【図４】
0003175910.tif 000006
【図５】
0003175910.tif 000007
【図６】
0003175910.tif 000008